(57)【要約】【課題】意匠性を損なうことなくランプの眩しさを低減することのできる照明器具を提供する。【解決手段】下面を開口した略直方体状の器具本体１と、器具本体１に収納されて各々１本の放電灯Ｌが着脱自在に装着される４つのソケット２と、器具本体１の開口を覆うように取り付けられる格子状のルーバ枠３と、器具本体１の開口全面を覆う拡散板４とから成り、ルーバ枠３は、互いに隣り合う放電灯Ｌの間に配置される縦ルーバ片３０を有し、拡散板４は、ルーバ枠３の上端部に取り付けられてルーバ枠３とソケット２との間に配設される。【選択図】図１
2008251279.tif 000002
【特許請求の範囲】
【請求項１】
一面を開口した箱体の器具本体と、器具本体に収納されてランプが着脱自在に装着されるとともに所定の間隔を空けて並設された複数のソケットと、器具本体の開口を覆うように設けられて少なくとも互いに隣り合うランプの間に配置される複数のルーバと、ソケットとルーバとの間に器具本体の開口全面を覆うように設けられてランプからの光を拡散する拡散板とを備えたことを特徴とする照明器具。 
【発明の詳細な説明】
【技術分野】
【０００１】
本発明は、照明器具に関する。
【背景技術】
【０００２】
従来から、放電灯等の光源から構成されるバックライトと、バックライトからの光が照射される液晶表示パネルとを備えるとともに、液晶表示パネルの出射面側に配置されてバックライトから照射されて液晶表示パネルを通過する出射光を拡散させる拡散板を備えた照明器具が提供されており、例えば特許文献１に開示されているようなものがある。また、グレアを制限するために放電灯等の光源が収納された器具本体の開口に複数のルーバを備えたルーバ枠を配設した照明器具が提供されており、例えば特許文献２に開示されているようなものがある。
【特許文献１】特開２０００−２６７５８２号公報
【特許文献２】実開平５−１７８３０号公報
【発明の開示】
【発明が解決しようとする課題】
【０００３】
しかしながら、上記特許文献１に記載されているような照明器具では、バックライトと拡散板との間の距離が近い場合には、拡散板によるバックライトからの光の拡散が充分ではなく、明るい箇所と暗い箇所とが現れて色むらが生じ、意匠性が損なわれるという問題があった。また、上記特許文献２に記載されているような照明器具では、ルーバの間を通して放電灯からの光が直接目に入るため、眩しく感じるという問題があった。
【０００４】
本発明は、上記の点に鑑みて為されたもので、意匠性を損なうことなくランプの眩しさを低減することのできる照明器具を提供することを目的とする。
【課題を解決するための手段】
【０００５】
請求項１の発明は、上記目的を達成するために、一面を開口した箱体の器具本体と、器具本体に収納されてランプが着脱自在に装着されるとともに所定の間隔を空けて並設された複数のソケットと、器具本体の開口を覆うように設けられて少なくとも互いに隣り合うランプの間に配置される複数のルーバと、ソケットとルーバとの間に器具本体の開口全面を覆うように設けられてランプからの光を拡散する拡散板とを備えたことを特徴とする。
【発明の効果】
【０００６】
本発明によれば、ソケットとルーバとの間に器具本体の開口全面を覆う拡散板を設けたので、ランプから出射されてルーバの間を通る光が拡散板を通過するため、放電灯からの光が直接目に入らず、したがって眩しさを低減することができる。また、少なくとも互いに隣り合うランプの間にルーバを配置したので、ランプ間における他の箇所と比較して暗くなる箇所をルーバによって隠すことで明るい箇所のみが見えるようにすることができ、したがって色むらを低減して意匠性が損なわれるのを防ぐことができる。
【発明を実施するための最良の形態】
【０００７】
以下、本発明に係る照明器具の実施形態について図面を用いて説明する。尚、以下の説明では、図１における上下左右を上下左右方向と定めるものとする。本実施形態は、図１，図２に示すように、下面を開口した略直方体状の器具本体１と、器具本体１に収納されて各々１本の放電灯Ｌが着脱自在に装着される複数（本実施形態では４つ）のソケット２と、器具本体１の開口を覆うように取り付けられる格子状のルーバ枠３と、器具本体１の開口全面を覆う拡散板４とから成る。
【０００８】
器具本体１の開口周縁には、その全周に亘ってフランジ１０が設けられており、器具本体１を隣り合う天井板Ａの間に設けられた埋込孔Ａ１に配設させる時に、該フランジ１０上に天井板Ａの端部が載置されるようになっている。
【０００９】
器具本体１内部の上面には、略直方体状の台部１３が設けられており、該台部１３内の右端部には、図１に示すように、ソケット２を介して放電灯Ｌに電力を供給するための安定器５が取り付けられている（図示では１つ）。また、器具本体１上面の四隅には、天井躯体（図示せず）に設けられた吊ボルト１１が挿通される挿通孔（図示せず）が各々設けられている。而して、吊ボルト１１を該挿通孔に挿通させて締め付けることで器具本体１を天井躯体から吊持するとともに、器具本体１のフランジ１０に天井板Ａの端部を載置することで本実施形態が埋込孔Ａ１に配設されるようになっている。
【００１０】
ソケット２は、所謂片口金構造であって、図２に示すように、器具本体１内部の一側面において左右方向に所定の間隔を空けて並設されている。尚、ソケット２に装着される本実施形態の放電灯Ｌは、長尺の２つの直管部及び直管部の端部同士を連結する屈曲部から成る略Ｕ字状であって、２つの直管部の屈曲部と反対側の端部に設けられた口金がソケット２に着脱自在に装着される。
【００１１】
台部１３の下面には、各放電灯Ｌを覆う反射板６が取り付けられている。反射板６は、金属板から成り、互いに隣り合う放電灯Ｌの間においては下方向に向かって突出した略三角形状の突部６０が配置されるように折曲されている。
【００１２】
ルーバ枠３は、断面略Ｖ字状であって互いに隣り合う放電灯Ｌの間の位置に長手方向が放電灯Ｌの長手方向と略一致するように配設される複数（図示では３つ）の長尺の縦ルーバ片３０を有するとともに、器具本体１の内周面に沿う枠状の端ルーバ片３１を有している。また、ルーバ枠３は、断面略Ｖ字状であって長手方向が縦ルーバ片３０の長手方向と略直交し且つ縦ルーバ片３０の長手方向を略４等分するように配設される複数（図示では３つ）の長尺の横ルーバ片３２を有している。而して、ルーバ枠３は、図２に示すように、縦ルーバ片３０及び横ルーバ片３２、並びに端ルーバ片３１から格子状となっている。尚、ルーバ枠３は、器具本体１の側面に設けられたキックばね１２によって器具本体１の内周面に取付固定される。
【００１３】
拡散板４は、光拡散性を有する透光性材料から略正方形状に形成され、図１に示すように、ルーバ枠３の上端部に取り付けられることでルーバ枠３とソケット２との間に配設されている。尚、拡散板４は、ルーバ枠３の上端部の左右両端部に各々突設された２対（図示では１対）の挟持片３３に挟持されることでルーバ枠３の上端部に取り付けられるようになっている。
【００１４】
上述のように、拡散板４をルーバ枠３とソケット２との間に配設することで、放電灯Ｌからの光が拡散板４を介して器具本体１の開口から出射されるので、放電灯Ｌからの光が直接目に入るのを防ぐことができ、したがって放電灯の眩しさを低減することができる。また、互いに隣り合う放電灯Ｌの間に縦ルーバ片３０を配設することで、他の箇所と比較して暗くなる箇所を縦ルーバ片３０で覆い隠すことができ、拡散板４のルーバ枠３を除いた全面での明るさを均一にすることができる。したがって、色むらを低減して意匠性が損なわれるのを防止することができる。
【図面の簡単な説明】
【００１５】
【図１】本発明に係る照明器具の実施形態を示す要部断面図である。
【図２】同上の下側から見た平面図である。
【符号の説明】
【００１６】
１  器具本体
２  ソケット
３  ルーバ枠
３０  縦ルーバ片
３１  端ルーバ片
３２  横ルーバ片
４  拡散板
Ｌ  放電灯（ランプ） 
【図１】
2008251279.tif 000003
【図２】
2008251279.tif 000004